【手続補正書】
【提出日】平成19年9月19日(2007.9.19)
【手続補正１】
【補正対象書類名】明細書
【補正対象項目名】発明の名称
【補正方法】変更
【補正の内容】
【発明の名称】撮像装置及びその制御方法
【手続補正２】
【補正対象書類名】明細書
【補正対象項目名】特許請求の範囲
【補正方法】変更
【補正の内容】
【特許請求の範囲】
【請求項１】  被写体を撮像してディジタル画像信号を記録すると共に該記録されたディジタル画像信号を外部機器に転送する撮像装置において、
前記撮像したディジタル画像信号を一時的に蓄積するバッファメモリと、
前記ディジタル画像信号を保存するための画像保存メモリと、
前記バッファメモリに新たなディジタル画像信号を蓄積することができるか否かを判断する画像メモリ蓄積状態判断手段と、
前記画像メモリ蓄積状態判断手段が前記バッファメモリに新たなディジタル画像信号を蓄積することができないと判断した場合に、前記バッファメモリに蓄積されたディジタル画像信号を前記外部機器に転送する転送手段とを備えることを特徴とする撮像装置。
【請求項２】  前記バッファメモリは、前記転送手段によるディジタル画像信号の転送後に前記蓄積されたディジタル画像信号を消去又は上書き可能に制御されることを特徴とする請求項１記載の撮像装置。
【請求項３】  さらに、前記画像保存メモリの記憶可能な残容量を認識するメモリ管理手段と、
前記メモリ管理手段により前記残容量が所定の記憶容量よりも少なくなったと認識された場合に、前記転送手段により転送されたディジタル画像信号を前記バッファメモリから消去又は上書き可能にするモードから、前記転送手段により転送されたディジタル画像信号を前記バッファメモリと前記画像保存メモリの双方から消去又は上書き可能にするモードに切り替える切替え手段とを備えることを特徴とする請求項２記載の撮像装置。
【請求項４】  さらに、前記撮像されたディジタル画像信号が前記画像保存メモリに記録されたか否かを判断するディジタル画像信号記録状態判断手段を備えることを特徴とする請求項１乃至３のいずれか１項に記載の撮像装置。
【請求項５】  前記転送装置は、前記撮像されたディジタル画像信号が前記画像保存メモリに記録されたと前記ディジタル画像信号記録状態判断手段が判断した場合に、前記画像保存メモリに記録されたディジタル画像信号に対応する前記ディジタル画像信号を前記外部機器に転送することを特徴とする請求項４記載の撮像装置。
【請求項６】  被写体を撮像してディジタル画像信号を記録すると共に該記録されたディジタル画像信号を外部機器に転送する撮像装置の制御方法において、
前記撮像したディジタル画像信号をバッファメモリに一時的に蓄積する蓄積工程と、
前記ディジタル画像信号をメモリに最終的に保存する記録工程と、
前記蓄積工程で新たなディジタル画像信号を蓄積することができるか否かを判断する判断工程と、
前記蓄積状態判断工程において前記バッファメモリで新たなディジタル画像信号を前記蓄積工程で蓄積することができないと判断した場合に、前記蓄積工程で前記バッファメモリに蓄積されたディジタル画像を前記外部機器に転送する転送工程とを備えることを特徴とする撮像装置の制御方法。
【請求項７】  前記バッファメモリを、前記転送工程でディジタル画像信号の転送後に前記蓄積されたディジタル画像信号を消去又は上書き可能に制御することを特徴とする請求項６記載の撮像装置の制御方法。
【請求項８】  さらに、前記画像保存メモリの記憶可能な残容量を認識するメモリ管理工程と、
前記メモリ管理工程において前記残容量が所定の記憶容量よりも少なくなったと認識された場合に、前記転送工程で転送されたディジタル画像信号を前記バッファメモリから消去又は上書き可能にするモードから、前記転送工程で転送されたディジタル画像信号を前記バッファメモリと前記画像保存メモリの双方から消去又は上書き可能にするモードに切り替える切替え工程とを備えることを特徴とする請求項６乃至８のいずれか１項に記載の撮像装置の制御方法。
【請求項９】  前記記録工程で前記ディジタル画像を保存するメモリは、画像保存メモリであることを特徴とする請求項６乃至８のいずれか１項に記載の撮像装置の制御方法。
【請求項１０】  さらに、前記撮像されたディジタル画像信号が前記画像保存メモリに記録されたか否かを判断するディジタル画像信号記録状態判断工程を備えることを特徴とする請求項９記載の撮像装置の制御方法。
【請求項１１】  前記転送工程において、前記撮像されたディジタル画像信号が前記画像保存メモリに記録されたと前記ディジタル画像信号記録状態判断工程で判断した場合に、前記画像保存メモリに記録されたディジタル画像信号に対応する前記ディジタル画像信号を前記外部機器に転送することを特徴とする請求項１０記載の撮像装置の制御方法。
【手続補正３】
【補正対象書類名】明細書
【補正対象項目名】０００１
【補正方法】変更
【補正の内容】
【０００１】
【発明の属する技術分野】
本発明は、被写体を撮像してディジタル画像信号を記録すると共に該記録されたディジタル画像信号を外部機器に転送する撮像装置及びその制御方法に関する。
【手続補正４】
【補正対象書類名】明細書
【補正対象項目名】０００４
【補正方法】変更
【補正の内容】
【０００４】
本発明は、かかる点に鑑みてなされたものであり、ユーザが撮影準備指示や撮影指示を解除することなく、自動的にディジタル画像信号の転送動作が行われ、それによって画像メモリを開放することができる撮像装置及びその制御方法を提供することを目的とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
【課題を解決するための手段】
上記目的を達成するために、請求項１の撮像装置は、被写体を撮像してディジタル画像信号を記録すると共に該記録されたディジタル画像信号を外部機器に転送する撮像装置において、前記撮像したディジタル画像信号を一時的に蓄積するバッファメモリと、前記ディジタル画像信号を保存するための画像保存メモリと、前記バッファメモリに新たなディジタル画像信号を蓄積することができるか否かを判断する画像メモリ蓄積状態判断手段と、前記画像メモリ蓄積状態判断手段が前記バッファメモリに新たなディジタル画像信号を蓄積することができないと判断した場合に、前記バッファメモリに蓄積されたディジタル画像信号を前記外部機器に転送する転送手段とを備えることを特徴とする。
【手続補正７】
【補正対象書類名】明細書
【補正対象項目名】０００７
【補正方法】変更
【補正の内容】
【０００７】
請求項６の撮像装置の制御方法は、被写体を撮像してディジタル画像信号を記録すると共に該記録されたディジタル画像信号を外部機器に転送する撮像装置の制御方法において、前記撮像したディジタル画像信号をバッファメモリに一時的に蓄積する蓄積工程と、前記ディジタル画像信号をメモリに最終的に保存する記録工程と、前記蓄積工程で新たなディジタル画像信号を蓄積することができるか否かを判断する判断工程と、前記蓄積状態判断工程において前記バッファメモリで新たなディジタル画像信号を前記蓄積工程で蓄積することができないと判断した場合に、前記蓄積工程で前記バッファメモリに蓄積されたディジタル画像を前記外部機器に転送する転送工程とを備えることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００７６
【補正方法】変更
【補正の内容】
【００７６】
【発明の効果】
以上詳細に説明したように、本発明によれば、ユーザが撮影準備指示や撮影指示を解除することなく、自動的にディジタル画像信号の転送動作が行われ、それによって画像メモリを開放することができる。
【手続補正１９】
【補正対象書類名】明細書
【補正対象項目名】００７７
【補正方法】削除
【補正の内容】
【手続補正２０】
【補正対象書類名】明細書
【補正対象項目名】００７８
【補正方法】削除
【補正の内容】
【手続補正２１】
【補正対象書類名】明細書
【補正対象項目名】００７９
【補正方法】削除
【補正の内容】
【手続補正２２】
【補正対象書類名】明細書
【補正対象項目名】００８０
【補正方法】削除
【補正の内容】
【手続補正２３】
【補正対象書類名】明細書
【補正対象項目名】００８１
【補正方法】削除
【補正の内容】
【手続補正２４】
【補正対象書類名】明細書
【補正対象項目名】００８２
【補正方法】削除
【補正の内容】